(57)【要約】      （修正有）【課題】建築物に設置される手すりとこれを固定する支持部材からなる手すり構造物を固定する際に用いる補強板、ならびに固定方法の提供。【解決手段】複数ある孔３ａ、孔３ｂの任意の位置から壁面に対してねじで壁面に固定する。手すり支持部材６を基板１に孔を明け固定する。支持部材６の位置は取り付け場所によりさまざまに異なるため基板１の長手方向に対して一意的に決まっていないためである。さらにカバー７を立ち上がり部１ａ、Ｌ部材２ａにまたがるようにして押し込むようにしてかぶせる。突起４ａ、４ｂの作用で抜けることはない。【選択図】図４
2007092487.tif 000002
【特許請求の範囲】
【請求項１】
手すりと手すりを固定する支持金具からなる手すり構造物を建築物に固定する際に用いる補強板において、手すり支持部材を取り付ける部分以外の端部に立ち上がり部分を設け構造物の曲げ力に関する断面係数を上げることにより曲がりにくくしたことを特徴とした補強板。
【請求項２】
請求項第１項の補強板において、相対する１組の立ち上がり部の中間に孔を複数を設けた構造にしたことを特徴とした補強板。
【請求項３】
請求項第１項の補強板において、相対する１組の立ち上がり部を設け、それらをまたがるようにカバーを取り付け可能にしたことを特徴とする補強板。
【請求項４】
請求項第１項の補強板において、立ち上がり部分に起伏を設けカバーが抜けにくい構造にしたことを特徴とした補強板。
【発明の詳細な説明】
【技術分野】
【０００１】  本発明は、建築物に設置される手すりとこれを固定する支持部材からなる手すり構造物を固定する際に用いる補強板、ならびに固定方法に関するものである。
【背景技術】
【０００２】  近年、高齢者や障害者の社会参加を目的に建築物のバリアフリー化が進み、手すりの設置が普及を増している。各家庭においても介護保険の定着化により、手すりの設置が制度上推奨され、相当年数経過した建築物にも手すりを取り付ける頻度が増してきている。そのような状況にあって、日本の在来軸組工法による建築物は、建築後に壁面に手すりを取り付ける場合、構造上、直接手すりを取り付けることが出来ないことが多い。その理由は、壁の強度不足によるもので、一般的に壁は柱、受材、間柱、貫材等からなる構造部材の上に厚み５ｍｍ前後の合板で構成される壁材、あるいは合板の代わりに厚み９ｍｍ〜１５ｍｍの石膏ボードで構成される壁材が取り付けられた構造になっている。手すり及び手すり支持金具を取り付けるには、壁材を通して壁材の裏側にあるこれら建築部材に取り付けるが、その場合は必要充分な強度を有する。ところが、建築部材の無い箇所の壁面に取り付けようとすると、壁材のみでは強度不足から使用中に抜け落ちてしまう。その対応策として、一般的に補強板を中間構造物として壁材を通して建築部材に固定し、さらに補強板に手すり及び手すり支持部材からなる手すり構造物を取り付ける。補強板は一般的に厚み１５ｍｍ〜２５ｍｍ、幅１００ｍｍ程度の木製の板で、補強板を取り付ければ、その表面であれば位置を特定することなく、手すり構造物を取り付けることが出来る。
【発明の開示】
【発明が解決しようとする課題】
【０００３】従来は壁面に補強板を取り付ける場合、補強板の厚みが１５ｍｍ〜２５ｍｍあるため、廊下の相対する両壁材に手すりを付けた場合、手すり構造物の突出距離は補強板を使わない場合に比べ両面合わせて３０ｍｍ〜５０ｍｍ狭くなってしまう。また板幅が１００ｍｍ程度あり、さらに手すりの長さ以上の補強板を取り付ける必要があることから、手すりより目立つため外観上問題がある。従来の厚みが薄い補強板は壁面への取り付けが補強板の幅方向の中央に寄っているため、補強板および手すりを取り付けた場合、手すりの長手方向と直角方向に力が加わった時に補強板に加わる曲げモーメントまたはねじりモーメンに対して強度が十分とはいえない。いわゆるぐらつきが生じやすいなどの問題があった。また補強板を壁に取り付ける時に孔を明けて固定する必要があることから煩わしいなどの問題があった。またねじの頭部が外に露出するため外観上好ましくないなどの欠点を持っている。本発明はこのような従来の構成が有していた課題を解決しようとするものであり、手すり支持部材を取り付ける補強板の取り付け強度を向上させることができるとともに、取り付けの際に使用するネジの孔を明ける必要もなく、またネジの頭が見えないようにカバーできることを目的とするものである。
【課題を解決するための手段】
【０００４】  補強板において手すり支持部材を取り付ける部分の厚さを薄くすれば壁から手すりの先端までの高さを実使用上問題とならない寸法にすることができる。同時に横断面における両端部を壁面と反対方向に立ち上がれば補強板の曲げに対する断面係数を上げることができる。さらに両端の立ち上がり部分近くにあって手すり支持部材が取り付かない範囲にさらに複数個の立ち上がりを設ければ曲げに対する断面係数をさらに上げることができ補強板は曲がりにくくなる。【０００５】  第２の課題解決手段は、立ち上がり部の間にあって壁面に接する部分に複数の孔を設けてある。この孔を通して壁面にネジで固定すれば新たに孔を明ける必要がなく、適切な位置の孔を利用して固定することができる。【０００６】  第３の課題解決手段は、ネジ取り付け用の孔が見えないよう立ち上がり部にかぶせるようにしてカバーを設ければ外から孔やネジを見えないようにすることができる。この時カバーは弾性をもった樹脂製、あるいは金属製であればボルト、ネジ、リベットなど工具を用いて固定する手段を用いなくとも取り付けることができる。【０００７】  第４の解決手段はカバーが外力によって容易に外れる可能性があるとき立ち上がり部に突起を設ければ容易に外れないようにすることができる。また突起でなくとも屈曲部を設けても良く、また摩擦力のあるの材質のものを設けても良い。
【発明の効果】
【０００８】以上、説明したように請求項第１項の発明によれば、手すりの取り付け強度を保ちつつ、壁面から手すりの突出距離を小さくすることができる。【０００９】また、第２項の発明によれば、補強板の取り付けに新たに穴を空ける必要がないため簡単に取り付けができる。【００１０】また、第３項の発明によれば、立ち上がり部分にカバーすることができるため外観が向上し、手が触れる可能性がある部分であることから安全性が向上する。また、第４項の発明によれば、カバーを抜けにくくすることができる。
【発明の実施するための最良の手段】
【００１１】以下、本発明の実施の形態を図１〜図４に基づいて説明する。
基板１の両端には立ち上がり部１ａ、立ち上がり部１ｂが設けられており、断面の中心方向にＬ部材２ａ、Ｌ部材２ｂが固定されている。補強板１とＬ部材２ａには同じ位置に貫通して長手方向に孔３ａが複数個明けられている。孔の形状は限定されることはなく丸、長円、角形状であってよい。同じように他の端には２ｂが固定され孔３ｂが複数個設けられている。Ｌ部材２ａ、２ｂには、図２に示したようにそれぞれ突起４ａ、突起４ｂが設けられている。突起形状は図３に示すように山形に折り曲げたりしても良い。
【００１２】以下、上記構成の動作を説明すると
図４に示すように複数ある孔３ａ、孔３ｂの任意の位置から壁面に対してねじで壁面に固定する。手すり支持部材６を基板１に孔を明け固定する。支持部材６の位置は取り付け場所によりさまざまに異なるため基板１の長手方向に対して一意的に決まっていないためである。さらにカバー７を立ち上がり部１ａ、Ｌ部材２ａにまたがるようにして押し込むようにしてかぶせる。突起４ａ、４ｂの作用で抜けることはない。
【００１３】  以上のように本実施形態によれば、手すり支持部材が取り付けられる部分は薄くなっていることから手すりの飛び出し寸法を小さくすることができ、立ち上がりがあることから断面係数を上げることができるので曲げモーメント、ねじりモーメントを平板に比較すると大きくすることができる。また立ち上がりの中間に固定用のネジ孔を設けておくことにより孔を新たに明ける必要がなく、取り付け部が構造物の幅方向の端部近くにあるため手すりや手すり支持部材を取り付けたときにぐらつきを抑えることができる。また立ち上がり部にカバーを取り付けることによりネジが見えないため外観が良くなり、立ち上がり部分に起伏をもけることによりカバーを抜けにくくすることができる。
【００１４】  本実施形態の断面形状は長手方向のどの断面をとっても同じ形状であった方が手すり支持部材を任意の位置に取り付けできるために好ましい。ただし手すり支持部材が取り付かない部分にあってはその限りではない。本実施形態による構造物は金属に限定されず、木、樹脂、セラミックスなどでも良い。補強板を金属板とする場合は、木や樹脂よりも弾性係数が大きいため、断面の厚みを小さくすることができる。
【実施例】
【００１５】
【００１６】建築物の壁に本発明による補強板を設置するには、手すりを取り付ける位置を決め壁裏の間柱あるいは貫材の位置を考慮しながら長めに補強板の位置を決める。次に補強板のネジ穴を通して壁裏の間柱、貫材に木ネジで固定する。次に手すり支持部材を補強板にネジ止めする。補強板への取り付けには板に取り付け穴を明けセルフタッピングネジで固定する。最後にカバーを取り付ける。
端部を柱に接するように取り付けるには、柱取り付け部材で固定する。補強板同士を直角に接続する場合は接続部材で接続する。
【図面の簡単な説明】
【００１７】
【図１】本発明による手すり補強板構造を示す図である。
【図２】本発明による手すり補強板突起部構造を示す図である。
【図３】本発明による手すり補強板突起部構造を示す図である。
【図４】本発明による手すり接続板取付構造を示す図である。
【符号の説明】
【００１８】  １    基板
２    Ｌ部材
３    孔
４    突起
６    手すり支持部材
７    カバー
【図１】
2007092487.tif 000003
【図２】
2007092487.tif 000004
【図３】
2007092487.tif 000005
【図４】
2007092487.tif 000006